【手続補正書】
【提出日】平成26年3月4日(2014.3.4)
【手続補正１】
【補正対象書類名】特許請求の範囲
【補正対象項目名】全文
【補正方法】変更
【補正の内容】
【特許請求の範囲】
【請求項１】
動きセンサであって、
物体に関連付けられる磁場を示す複数の磁場信号を生成するように構成されている複数の磁場検知エレメントと、
それぞれ複数の状態プロセッサであって、各状態プロセッサが、前記複数の磁場信号のうちのそれぞれ１つを表す信号をそれぞれ受け取るように結合されており、前記複数の状態プロセッサのそれぞれが、前記複数の磁場信号の内それぞれの１つと関連のある複数の状態を示すそれぞれのSTATE_SM信号を生成するように構成されており、前記複数の状態のそれぞれが、信号値のそれぞれの範囲を示し、前記STATE_SM信号が、複数の第１方向状態遷移と複数の第２方向状態遷移とを備えており、前記STATE_SM信号の前記複数の第１方向状態遷移および前記複数の第２方向状態遷移は状態遷移チャターを含む、複数の状態プロセッサとを備えており、前記複数の状態プロセッサのそれぞれが、
前記それぞれのSTATE_SM信号を受け取るように結合され、それぞれのSTATE_PEAK信号を生成するように構成されているそれぞれの状態ピーク・ロジック・モジュールを備えており、前記STATE_PEAK信号が、複数の第１方向状態ピーク遷移と複数の第２方向状態ピーク遷移とを備えており、前記STATE_PEAK信号の前記複数の第１方向状態ピーク遷移および前記複数の第２方向状態ピーク遷移が、低減された状態遷移チャターを含む、動きセンサ。
【請求項２】
請求項１記載の動きセンサであって、前記STATE_SM信号の状態値をSTATE_SMレジスタに保持し、前記STATE_PEAK信号の状態値をSM_PEAKレジスタに保持する、動きセンサ。
【請求項３】
請求項２記載の動きセンサであって、更に、前記複数の状態プロセッサに結合されている振動プロセッサを備えており、前記振動プロセッサが、前記STATE_PEAK信号によって表される状態が、前記STATE_SM信号によって表される状態よりも所定数の状態だけ異なるときに現れる状態遷移を有する二状態POSCOMP_PK信号を生成するように構成されている屈曲プロセッサを備えている、動きセンサ。
【請求項４】
請求項３記載の動きセンサにおいて、前記状態ピーク・ロジック・モジュールが、前記POSCOMP_PK信号が第１状態に等しく、前記STATE_SM信号の状態値が前記STATE_PEAK信号の状態値よりも所定の状態数だけ大きい場合、前記STATE_PEAKレジスタに保持されている状態値を、前記STATE_SMレジスタに保持されている状態値に等しく設定するように構成される状態ピーク・ロジック・プロセッサを備え、前記状態ピーク・ロジック・プロセッサが、更に、前記POSCOMP_PK信号が第２の異なる状態に等しく、前記STATE_SM信号の状態値が前記STATE_PEAK信号の状態値よりも所定の状態数だけ小さい場合、前記STATE_PEAKレジスタに保持されている状態値を、前記STATE_SMレジスタに保持されている状態値に等しく設定するように構成されている、動きセンサ。
【請求項５】
請求項３記載の動きセンサにおいて、前記振動プロセッサが、前記STATE_PEAK信号、前記STATE_SM信号、または前記POSCOMP_PK信号の内少なくとも１つに応答して、前記物体または前記複数の磁場検知エレメントの内少なくとも１つの振動を示す振動信号を生成するように構成されている、動きセンサ。
【請求項６】
請求項３記載の動きセンサにおいて、前記状態プロセッサが、更に、前記STATE_SM信号または前記STATE_PEAK信号の少なくとも１つがそれぞれの第１および第２状態を表すときに現れる第１および第２の異なる状態遷移を有する二状態POSCOMP信号を生成するように構成されている、動きセンサ。
【請求項７】
請求項６記載の動きセンサにおいて、前記第１および第２状態が異なる状態である、動きセンサ。
【請求項８】
請求項６記載の動きセンサにおいて、前記振動プロセッサが、前記STATE_PEAK信号、前記STATE_SM信号、前記POSCOMP信号、または前記POSCOMP_PK信号の内少なくとも１つに応答して、前記物体または前記複数の磁場検知エレメントの内少なくとも１つの振動を示す振動信号を生成するように構成されている、動きセンサ。
【請求項９】
物体の動きを検出する方法であって、
前記物体に関連付けられる磁場を示す複数の磁場信号を生成するステップと、
前記複数の磁場信号のそれぞれの１つと関連のある複数の状態を示すSTATE_SM信号を生成するステップであって、前記複数の状態のそれぞれが信号値のそれぞれの範囲を示し、前記STATE_SM信号が、複数の第１方向状態遷移と複数の第２方向状態遷移とを備えており、前記STATE_SM信号の前記複数の第１方向状態遷移および前記複数の第２方向状態遷移は状態遷移チャターを含む、ステップと、
前記STATE_SM信号に関係があるSTATE_PEAK信号を生成するステップであって、前記STATE_PEAK信号が、複数の第１方向状態ピーク遷移と、複数の第２方向状態ピーク遷移とを備えており、前記STATE_PEAK信号の前記複数の第１方向状態遷移ピーク遷移および前記複数の第２方向状態ピーク遷移が、低減された状態遷移チャターを含む、ステップと、
を備えている、方法。
【請求項１０】
請求項９記載の方法であって、
前記STATE_SM信号の状態値をSTATE_SMレジスタに保持するステップと、
前記STATE_PEAK信号の値をSM_PEAKレジスタに保持するステップと、
を備えている、方法。
【請求項１１】
請求項１０記載の方法であって、更に、
前記STATE_PEAK信号によって表される状態が、前記STATE_SM信号によって表される状態から所定の状態数だけ異なるときに現れる状態遷移を有する二状態POSCOMP_PK信号を生成するステップを備えている、方法。
【請求項１２】
請求項１１記載の方法であって、更に、
前記POSCOMP_PK信号が第状態１に等しく、前記STATE_SM信号の状態値が前記STATE_PEAK信号の状態値よりも所定の状態数だけ大きい場合、前記STATE_PEAKレジスタに保持されている状態値を、前記STATE_SMレジスタに保持されている状態値に等しく設定するステップと、
前記POSCOMP_PK信号が第２の異なる状態に等しく、前記STATE_SM信号の状態値が前記STATE_PEAK信号の状態値よりも所定の状態数だけ小さい場合、前記STATE_PEAKレジスタに保持されている状態値を、前記STATE_SMレジスタに保持されている状態値に等しく設定するステップと、
を備えている、方法。
【請求項１３】
請求項１１記載の方法であって、更に、
前記STATE_PEAK信号、前記STATE_SM信号、または前記POSCOMP_PK信号の内少なくとも１つに応答して、前記物体または前記複数の磁場検知エレメントの内少なくとも１つの振動を示す振動信号を生成するステップを備えている、方法。
【請求項１４】
請求項１１記載の方法であって、更に、
前記STATE_SM信号または前記STATE_PEAK信号の少なくとも１つがそれぞれの第１および第２状態を表すときに現れる第１および第２の異なる状態遷移を有する二状態POSCOMP信号を生成するステップを備えている、方法。
【請求項１５】
請求項１４記載の方法において、前記第１および第２状態が異なる状態である、方法。
【請求項１６】
請求項１４記載の方法であって、更に、
前記STATE_PEAK信号、前記STATE_SM信号、前記POSCOMP信号、または前記POSCOMP_PK信号の内少なくとも１つに応答して、前記物体または前記複数の磁場検知エレメントの内少なくとも１つの振動を示す振動信号を生成するステップを備えている、方法。
【請求項１７】
物体の動き検出を行うためのコンピュータ読み取り可能コードを有するコンピュータ読み取り可能記憶媒体であって、
前記物体に関連付けられる磁場を示す複数の磁場信号を受け取る命令と、
前記複数の磁場信号のそれぞれの１つと関連のある複数の状態を示すSTATE_SM信号を生成する命令であって、前記複数の状態のそれぞれが信号値のそれぞれの範囲を示し、前記STATE_SM信号が、複数の第１方向状態遷移と複数の第２方向状態遷移とを備えており、前記STATE_SM信号の前記複数の第１方向状態遷移および前記複数の第２方向状態遷移は状態遷移チャターを含む、命令と、
前記STATE_SM信号に関係があるSTATE_PEAK信号を生成する命令であって、前記STATE_PEAK信号が、複数の第１方向状態ピーク遷移と、複数の第２方向状態ピーク遷移とを備えており、前記STATE_PEAK信号の前記複数の第１方向状態ピーク遷移および前記複数の第２方向状態ピーク遷移が、低減された状態遷移チャターを含む、命令と、
を備えている、コンピュータ読み取り可能記憶媒体。
【請求項１８】
請求項１７記載のコンピュータ読み取り可能記憶媒体であって、更に、
前記STATE_SM信号の状態値をSTATE_SMレジスタに保持する命令と、
前記STATE_PEAK信号の値をSM_PEAKレジスタに保持する命令と、
を備えている、コンピュータ読み取り可能記憶媒体。
【請求項１９】
請求項１８記載のコンピュータ読み取り可能記憶媒体であって、更に、
前記STATE_PEAK信号によって表される状態が、前記STATE_SM信号によって表される状態から、所定の状態数だけ異なるときに現れる状態遷移を有する二状態POSCOMP_PK信号を生成する命令を備えている、コンピュータ読み取り可能記憶媒体。
【請求項２０】
請求項１９記載のコンピュータ読み取り可能記憶媒体であって、更に、
前記POSCOMP_PK信号が第１状態に等しく、前記STATE_SM信号の状態値が前記STATE_PEAK信号の状態値よりも所定の状態数だけ大きい場合、前記STATE_PEAKレジスタに保持されている状態値を、前記STATE_SMレジスタに保持されている状態値に等しく設定する命令と、
前記POSCOMP_PK信号が第２の異なる状態に等しく、前記STATE_SM信号の状態値が前記STATE_PEAK信号の状態値よりも所定の状態数だけ小さい場合、前記STATE_PEAKレジスタに保持されている状態値を、前記STATE_SMレジスタに保持されている状態値に等しく設定する命令と、
を備えている、コンピュータ読み取り可能記憶媒体。
【請求項２１】
請求項１９記載のコンピュータ読み取り可能記憶媒体であって、更に、
前記STATE_PEAK信号、前記STATE_SM信号、または前記POSCOMP_PK信号の内少なくとも１つに応答して、前記物体または前記複数の磁場検知エレメントの内少なくとも１つの振動を示す振動信号を生成する命令を備えている、コンピュータ読み取り可能記憶媒体。
【請求項２２】
請求項１９記載のコンピュータ読み取り可能記憶媒体であって、更に、
前記STATE_SM信号または前記STATE_PEAK信号の少なくとも１つがそれぞれの第１および第２状態を表すときに現れる第１および第２の異なる状態遷移を有する二状態POSCOMP信号を生成する命令を備えている、コンピュータ読み取り可能記憶媒体。
【請求項２３】
請求項２２記載のコンピュータ読み取り可能記憶媒体において、前記第１および第２状態が異なる状態である、コンピュータ読み取り可能記憶媒体。
【請求項２４】
請求項２２記載のコンピュータ読み取り可能記憶媒体であって、更に、
前記STATE_PEAK信号、前記STATE_SM信号、前記POSCOMP信号、または前記POSCOMP_PK信号の内少なくとも１つに応答して、前記物体または前記複数の磁場検知エレメントの内少なくとも１つの振動を示す振動信号を生成する命令を備えている、コンピュータ読み取り可能記憶媒体。
【手続補正２】
【補正対象書類名】明細書
【補正対象項目名】０１４３
【補正方法】変更
【補正の内容】
【０１４３】
信号４０２は、図２のPOSCOMP信号１８２ａを表す。先に説明したように、POSCOMP信号４０２の遷移４０４ａ、４０４ｂおよび４０６ａ、４０６ｂは、図７の状態遷移および関連のある点３８０ａ、３８０ｂ、および３８２ａ、３８２ｂと一致し、これらから得られる（図２のデコーダ１８２によって）。
【手続補正３】
【補正対象書類名】明細書
【補正対象項目名】０１４４
【補正方法】変更
【補正の内容】
【０１４４】
信号４０８は、点線で示されており、図２のPOSCOMP_PK信号１７８を表す。これは、図１０と関連付けて以下で説明するプロセスの間に生成される。先に説明したように、POSCOMP_PK信号４０８の遷移４１０ａ、４１０ｂおよび４１２ａ、４１２ｂは、図７の状態遷移および関連のある点３８４ａ、３８４ｂおよび３８６ａ、３８６ｂと一致し、これらから得られる(図１０のプロセスによって）。